(57)【特許請求の範囲】
【請求項１】
（１）  織構造を、緯糸が表地と裏地を構成する少なくとも表裏２層の多重構造とし、（２）  織成されるべき原図を枡目によって縦横に区切って点描される原画に調製し、（３）  その原画の各枡目を表面組織点とし、その隣合う枡目の色彩が切り替わる表面組織点をもって経糸と緯糸が表裏入れ代わる表面経緯接結点とし、その一部の経緯接結点をもって経糸が表面に現れる表面経糸接結点とし、その原画をもって表地の織組織図（表織組織図）とし、（４）その表織組織図の各枡目の裏側において、表織組織図の枡目に現れない経糸と緯糸が裏側に組織点を構成し、表織組織図の枡目に現れない経糸が織物の裏面に現れて裏面経糸接結点となる裏織組織を形成するものとし、その接結点の構成にあたっては各経糸の表面経糸接結点と裏面経糸接結点の合計個数を予め設定し、その接結点の設定値（合計個数）に従って演算により裏面経糸接結点を配置した裏地の織組織図（裏織組織図）を作成する織組織生成法。
【発明の詳細な説明】
【０００１】
【発明の属する技術分野】
本発明は、原図を織物に織成する過程において経糸と緯糸を制禦する織組織を生成する織組織生成法に関するものである。
【０００２】
【従来の技術】
織組織生成法には、一般に用いられる織物設計システムにおいて、有彩色の原図（デザイン）に、予め準備された織組織（不具合が生じないように調製された表組織と裏組織の組み合わせ）を織物設計者と呼ばれる専門職によって当てはめる方法と、一般に絵画織と称される織組織生成において、画素毎に色分けされた原図に、予め準備されている画素の色彩の表現が可能な織組織を当てはめる方法があり、その何れの方法も予め準備された織組織を原図に当てはめる概念構成になっている。
【０００３】
【発明が解決しようとする課題】
このように予め準備された織組織を原図に当てはめる概念においては、原図の段階ではシンプルで平面的なデザイン構成が主になり、その中に予め準備された既成の織組織が存在する恰好になる。しかし、原図に存在する色彩に応じて織組織を当てはめる作業は機械的であり、限られた既成の織組織によっては原図のデザイナーのイメージや美的特徴を十分に織物に反映させることは難しく、又、原図のデザイナーと織物設計者とは分業化されており、原図の何れの色彩に何れの織組織を当てはめるかは織物設計者の勘によるので、織物に表現される原図の美観も織物設計者によって区々になって再現性を欠くものとなる。
【０００４】
【発明の目的】
そこで本発明は、既存の織物の織組織にとらわれることなく、原図をそのまま織物に表現し、原図のデザイナーのイメージを織物にダイレクトに反映させることを目的とする。
【０００５】
【課題を解決するための手段】
本発明に係る織組織生成法は、（１）  織構造を、緯糸が表地と裏地を構成する少なくとも表裏２層の多重構造とし、（２）  織成されるべき原図を枡目によって縦横に区切って点描される原画に調製し、（３）  その原画の各枡目を表面組織点とし、その隣合う枡目の色彩が切り替わる表面組織点をもって経糸と緯糸が表裏入れ代わる表面経緯接結点とし、その一部の経緯接結点をもって経糸が表面に現れる表面経糸接結点とし、その原画をもって表地の織組織図（表織組織図）とし、（４）  その表織組織図の各枡目の裏側において、表織組織図の枡目に現れない経糸と緯糸が裏側に組織点を構成し、表織組織図の枡目に現れない経糸が織物の裏面に現れて裏面経糸接結点となる裏織組織を形成するものとし、その接結点の構成にあたっては各経糸の表面経糸接結点と裏面経糸接結点の合計個数を予め設定し、その接結点の設定値（合計個数）に従って演算により裏面経糸接結点を配置した裏地の織組織図（裏織組織図）を作成することを特徴とする。
【０００６】
【発明の実施の形態】
原図を縦横に区切る枡目の形状は格別特定されず、正方形、長方形、丸形等の何れであってもよく、コンピュータ画面では画素自体が枡目の役割をはたすので枡目と言う線によるくくりを有しないものであってもよい。即ち、その枡目は織物に使用する糸条（経糸と緯糸）の色情報を持つものであればよい。
【０００７】
織物として表現可能な色、即ち、織物に使用される経糸の色と緯糸の色、或いは、それらの色をミックスさせた混合色で描かれた画像をそのまま原図とする場合は、それらの表現可能な色の色情報で表された枡目機能を有する原画を調製して表織組織図とする。絵画のようにフルカラーデータで描かれた原図では、画像処理で使用される減色・再表示法（ディザ法）により、織物に使用される経糸の色と緯糸の色と混合色をパレット情報とする画像に変換し、それらの表現可能な色（経糸の色、緯糸の色、経糸と緯糸の混合色）の色情報で表された枡目機能を有する原画を調製して表織組織図とする。
【０００８】
図１は、減色・再表示法（ディザ法）を使用し、織物に使用される経糸の色と緯糸の色とそれらの混合色をパレット情報として持つ画像に絵画を変換した画像であり、その一部分Ａは拡大して図２に示される。図２では、斑点１４と横線１５と縦線１６と黒色１７と格子網目１８と左下り斜線１９で示される織物に使用の数種類の緯糸の色（１４・１５・１６・１７・１８・１９）と、二重丸１１と右下り斜線１２と斜め網目１３で示される織物に使用の３種類の経糸の色（１１・１２・１３）をパレット情報とする画像に変換されて絵画の一部分Ａの表織組織図が構成されており、その１枡目は、緯糸の色配列の一循環（１４・１５・１６・１７・１８・１９）と経糸の色配列の一循環（１１・１２・１３）との交差位置を表している。この表織組織図では、図４に示されるように、隣合う枡目の色彩が切り替わる箇所が、経糸と緯糸が表裏入れ代わって表面経緯接結点となっている。その表面経緯接結点の中で、二重丸１１と右下り斜線１２と斜め網目１３で示される経糸（１１・１２・１３）が表面に現れる表面経糸接結点だけを示すと、図２の表織組織図は、経糸情報として図３に示す表織組織図に書き改められる。図４は、図２と図３の最下段の組織点と接結点によって構成される経糸と緯糸の交絡構造を示す織物の断面図である。
【０００９】
図２と図３に示される織物情報は、織物の表面に現れる経糸と緯糸が表織組織を形成する情報と、経糸と緯糸の表面に現れない部分を表織組織の下側（裏側）配置させる裏織組織予備情報だけであり、安定した織物は形成されない。そこで表織組織図の各枡目の裏側において、表織組織図の枡目に現れない経糸と緯糸が裏側に組織点を構成し、表織組織図の枡目に現れない経糸が織物の裏面に現れて裏面経糸接結点となる裏織組織を形成するものとし、その接結点の構成にあたっては各経糸の表面経糸接結点と裏面経糸接結点の合計個数を予め設定し、その接結点の設定値（合計個数）に従って演算により裏面経糸接結点を配置した裏地の織組織図（裏織組織図）を作成する。図３の表織組織図のエリアＢを例にとって具体的に説明すると、エリアＢでは、二重丸で示される経糸１１が３個の表面経糸接結点を形成し、右下り斜線で示される経糸１２が１個の表面経糸接結点を形成し、斜め網目１３で示される経糸１３は表面経糸接結点を形成しておらず、それらの経糸の縮率（織物の長さに対する経糸の長さの比率）が揃わず、織物として不安定になる。そこで、二重丸で示される経糸１１に対して表面経糸接結点が２個不足する右下り斜線で示される経糸１２の裏面経糸接結点を２個、二重丸で示される経糸１１に対して表面経糸接結点が３個不足する斜め網目で示される経糸１３の裏面経糸接結点を３個、それぞれ裏織組織図に設け、それらの経糸の表面経糸接結点と裏面経糸接結点の合計個数を揃える。図５は、そのように図３の表織組織図のエリアＢに設けられた経糸１２と１３の裏面経糸接結点を、それぞれ太い右下り斜線（１２Ｐ）と太い交斜線（１３Ｐ）で示すものである。この裏面経糸接結点による経糸の縮率の調整は、織物全体にわたる接結点の設定値に基づいて各経糸に対して行われ、それによって裏地の裏織組織が形成される。
【００１０】
織物用として描写された原図では、デザイナーが表面に浮いて続く経糸や緯糸の長さをイメージして作成されているので問題はないが、織物に表現されることを意識せずに描かれた一般の絵画をデザインソースとするときは、同一色が縦や横に連続する部分が原画に発生する可能性がある。しかし、その場合でも、低明度色と高明度色の経糸を使用するものとし、その使用する経糸の低明度色と高明度色の明度値を考慮して画像処理すれば、経糸や緯糸が表面に長く浮いて続く「浮き」の問題は生じない。
【００１１】
【発明の効果】
本発明によると、原図に既存の織組織を当てはめる従来方式に対し、織物として表現可能な色で描かれた原画、即ち、織物に使用される経糸の色と緯糸の色とそれらの色をミックスさせた混合色で描かれたデザインそのものを表織組織図とし、その原画（デザイン）において織物の表面に現れず無組織状態の経糸と緯糸を、表面経糸接結点と、織物全体にわたる接結点の設定値と、経糸の縮率によって演算される裏面経糸接結点と表織組織に対応した配置によって裏織組織を形成し、織物全体の織構造を生成するので、既存の織組織に束縛されることなく、原図の作成デザイナーとは感性の異なる織物設計専門家が独自の感性をもって既存の織組織を画素に割り当てる従来の分業スタイルから脱皮し、織物設計専門家に依存することなく、原図の作成デザイナーの感性（イメージ）をダイレクトに織物に反映することが出来、織物によって表現される美観の幅が広がる。
【図面の簡単な説明】
【図１】原図の表面図である。
【図２】図１に示す原図を点描して調製された原画の拡大表面図である。
【図３】図２に示す原画の表面経糸接結点だけを表示した表織組織図である。
【図４】図２に示す原画の最下段のエリアに該当する織物の断面図である。
【図５】図３に示す表織組織図に裏面経糸接結点を付記して示す表織組織図である。
【符号の説明】
１１・１２・１３  経糸
１４・１５・１６・１７・１８・１９  緯糸
【図１】
0003603184.tif 000002
【図２】
0003603184.tif 000003
【図３】
0003603184.tif 000004
【図４】
0003603184.tif 000005
【図５】
0003603184.tif 000006